(57)【要約】【課題】洗浄後おけるリール本体内部の排水性の向上を図り、洗浄後におけるリール本体内部の水分滞留による不具合の解消を図った魚釣用スピニングリ−ルを提供することを目的とする。【解決手段】本発明の魚釣用スピニングリールは、リール本体１にスプール軸１３を介して支持されたスプール１６に、リール本体１内の巻取駆動機構に連結されたハンドル４の回転で連動回転するロータ９を介して釣糸を巻回する魚釣用スピニングリールにおいて、リール本体１の後側底部にリール本体１の左右方向の両側に亘って開口する水抜き部Ｃを形成し、カバー部材１７で水抜き部Ｃを閉塞したしたことを特徴とする。【選択図】        図３ 
2005218343.tif 000002
【特許請求の範囲】
【請求項１】
リール本体にスプール軸を介して支持されたスプールに、リール本体内の巻取駆動機構に連結されたハンドルの回転で連動回転するロータを介して釣糸を巻回する魚釣用スピニングリールにおいて、前記リール本体の後側底部に該リール本体の左右方向の両側に亘って開口する水抜き部を形成し、カバー部材で該水抜き部を閉塞したことを特徴とする魚釣用スピニングリ−ル。
【発明の詳細な説明】
【技術分野】
【０００１】
本発明は、リール本体の内部に水分が溜まらないようにした魚釣用スピニングリ−ルに関する。
【背景技術】
【０００２】
魚釣用リールは、川、湖、海等、水分や異物が付着浸入し易い使用環境の非常に厳しい屋外で使用されるもので、実釣り中や使用後の不純物の付着を取り除く水洗いの洗浄中にリール本体内部に水が浸入し易く、内部に溜まった水の影響で、内部の駆動部材（歯車、軸受、摺動部材等）が円滑に作動しなくなったり、錆が発生したりして、回転及び摺動性能に支障を来してしまうことが多い。
【０００３】
厳しい使用環境での使用に耐えられるように、シール材を適所に配置して防水構造を図るように配慮はされているが、誤ってリールを水中に落としてしまったり、洗浄中の水圧等から、完全にリール本体内部への浸水を防止することは難しい。そこで、特許文献１で見られるように、リール本体の底部に水抜き孔（洗浄用穴）を形成して、リール本体内部に浸水して溜まった水を外部へ排出できるようにしたものが提案されている。
【特許文献１】特開平９−１１７２４０号公報
【発明の開示】
【発明が解決しようとする課題】
【０００４】
上記した特許文献１に開示されている魚釣用リールは、内部に駆動機構を有するリール本体の底部に洗浄用穴（水抜き穴）を形成し、この洗浄用穴を開閉自在に閉塞する開閉用栓を取り付けた構成で、内部に浸水した水を開閉用栓を操作して外部に排出するものである。
【０００５】
魚釣用リールは、前述の通り、水分や異物が付着浸入し易い使用環境の非常に厳しい屋外で使用されるために、実用後は水道水等で水洗されることが多い。洗浄後、リール本体は傾いた状態で放置されることが多いが、特許文献１のようにリール本体の底部に洗浄用穴を形成した構成では、洗浄後、傾いた状態で放置された場合においてリール本体内部の水を充分に外部へ排出できずに内部に滞留してしまい、それによって、内部駆動部材が腐食したり、作動不良になって良好な駆動性能状態が維持発揮出来ない等の問題がある。
【０００６】
本発明は、上記問題に基づいて成されたものであり、洗浄後おけるリール本体内部の排水性の向上を図り、洗浄後におけるリール本体内部の水分滞留による不具合の解消を図った魚釣用スピニングリールを提供することを目的とする。
【課題を解決するための手段】
【０００７】
上記した目的を達成するために、本発明に係わる魚釣用リールは、リール本体にスプール軸を介して支持されたスプールに、リール本体内の巻取駆動機構に連結されたハンドルの回転で連動回転するロータを介して釣糸を巻回する魚釣用スピニングリールにおいて、前記リール本体の後側底部に該リール本体の左右方向の両側に亘って開口する水抜き部を形成し、カバー部材で該水抜き部を閉塞したことを特徴とする。
【発明の効果】
【０００８】
本発明によれば、リール本体の後側底部に、リール本体の左右方向の両側に亘って開口する水抜き部を形成してリール本体内部の水を外部に排水する構成としたので、水洗による洗浄後にリール本体が傾斜した状態に放置されても、リール本体の左右方向に開口した両側の水抜き部を介して内部に浸水した水を容易に外部へ排出できるようになるので、リール本体内部への水の滞留が確実に防止でき、内部駆動部材の腐食や作動不良を確実に防止でき、良好な駆動性能状態を維持できる。
【発明を実施するための最良の形態】
【０００９】
以下、本発明に係わる魚釣用スピニングリールの実施形態について、添付図面を参照して具体的に説明する。
図１〜図７は、本発明に係わる魚釣用スピニングリールの第１の実施形態を示す図であり、図１は一部切欠断面側面図、図２は要部に係わる一部拡大側面図、図３は図２の一部切欠断面側面図、図４は一部切欠断面背面図、図５は図４の要部の拡大背面図、図６は図３の部品展開図、図７は図３の反対側から見たカバー部材を外した状態の一部拡大側面図である。
【００１０】
本実施形態の魚釣用リールのリール本体１は、上方に釣竿装着部２ａを形成した脚部２ｂを有するボデイ２と、駆動機構が内装されたボデイ２の側方開口部を閉塞して複数のネジＳ１で取り付けられる蓋板３で形成され、ボデイ２の側部には内部の駆動機構に連結されて回転駆動操作されるハンドル４が設けられている。ハンドル４を装着したハンドル軸５（駆動軸）には駆動歯車６が一体的に設けられ、この駆動歯車６はボデイ２の前部に回転自在に軸支されたピニオン７に噛合している。ピニオン７の前部には、釣糸案内部８を設けたロータ９が取り付け固定されており、ハンドル４を回転操作することにより駆動歯車６、ピニオン７を介してロータ９が連動回転される。
【００１１】
リール本体１の内部には、ハンドル４の回転力を前後方向の往復動に変換する公知の前後往復動機構１０が設けられている。この前後往復動機構１０は、ハンドル軸５に一体的に設けた歯車１１がボデイ２の内側面に回転自在に軸支された図示しない偏芯突起を有する歯車１２に噛合し、前記ピニオン７内に挿通されるスプール軸１３の後端に固定された摺動子１４は前記歯車１２の図示しない偏芯突起に係合しており、ハンドル軸５の回転が歯車１１、歯車１２、摺動子１４を介してスプール軸１３を前後方向に往復動変換するように構成されている。スプール軸１３の前部には、釣糸が巻回されるスプール１６が取り付けられている。以上の構成によれば、ハンドル４を回転操作してハンドル軸５を回転させると、前後往復道機構１０を介してスプール軸１３に取り付けられたスプール１６が前後に往復動すると共に、駆動歯車６、ピニオン７を介してロータ９が回転駆動し、スプール１６には釣糸案内部８を介して釣糸が均等に巻回される。
【００１２】
次に本発明に係わる魚釣用スピニングリールのリール本体１に形成される内部に浸水した水を外部に排出する排水構造について説明する
リール本体１を構成するボデイ２と蓋板３のそれぞれの後部及び後側底部にはボデイ側切欠部２ｃと蓋板側側切欠部３ａが形成されている。そして、ボデイ２のボデイ側切欠部２ｃにはリール本体１の左右方向（Ｘ−Ｘ）の両側に亘って貫通開口する水抜き部Ｃが形成されている。
リール本体１の後部には、キャップ状のカバー部材１７がネジＳ２で着脱自在に取り付けられてボデイ側切欠部２ｃと蓋板側側切欠部３ａが露出しないようにカバーされている。
【００１３】
以上のように本実施形態のリール本体１の後側底部には、リール本体１の左右方向の両側に亘って貫通開口する水抜き部Ｃを形成して内部に溜まっている水Ｗを、図５の矢印で示すように水抜き部Ｃを介してリール本体１の両側外方に向けて排出出来るので、実釣り後の水洗による洗浄後にリール本体が傾斜した状態に放置されても、リール本体１の内部に浸水した水を容易且つ確実に外部へ排出できるので、リール本体内部への水の滞留を確実に防止でき、内部駆動部材の腐食や作動不良を防止でき、良好な駆動性能状態を維持できる。
【００１４】
リール本体１に浸水した水Ｗは、リール本体１の後部に装着したカバー部材１７を外して水抜き部Ｃから排水することで容易に行えるが、カバー部材１７をリール本体１に装着した状態であっても、図３に示すようにリール本体１の底部とカバー部材１７との間に隙間１ａを形成し、内部に浸水した水を水抜き部Ｃを介して、リール本体１の底部とカバー部材１７との間に形成した水路を通してこの隙間１ａから外部に排水するようにしても良い。又、リール本体１のボデイ２の内側底面は凹凸のない平面上に形成されており、リール本体１の内部に滞留している水が障害なく後側底部に形成した水抜き部Ｃに流入し易くして排水性の向上を図っている。
【００１５】
図８は、本発明に係わる魚釣用スピニングリールの第２の実施形態を示すカバー部材を外した状態の一部拡大側面図である。この実施形態では、リール本体１の内側底面を傾斜状２ｄに形成して水抜き部Ｃが形成されている部分を低く傾斜形成したもので、このように傾斜形成することで、リール本体１の内部に滞留している水の水抜き部Ｃへの排出性を更に向上できる。
【００１６】
図９及び図１０は、本発明に係わる魚釣用スピニングリールの第３の実施形態を示す図であり、図９は要部に係わる一部拡大側面図、図１０は図９の要部の一部断面背面図である。この実施形態では、前述の第１実施形態のカバー部材１７に代わり、リール本体１の左右方向に貫通開口形成されたボデイ側水抜き部Ｃ２と蓋板側水抜き部Ｃ３を、弾性を有するカバー部材（ゴム栓）１８で着脱可能に閉塞したものであり、前述の実施形態と同様の効果が得られるものである。
【図面の簡単な説明】
【００１７】
【図１】本発明に係わる魚釣用スピニングリールの第１の実施形態を示す一部切欠断面側面図である。
【図２】要部に係わる一部拡大側面図である。
【図３】図２の一部切欠断面側面図である。
【図４】一部切欠断面断面背面図である。
【図５】図４の要部の拡大背面図である。
【図６】図３の部品展開図である。
【図７】図３の反対側から見たカバー部材を外した状態の一部拡大側面図である。
【図８】本発明に係わる魚釣用スピニングリールの第２の実施形態を示すカバー部材を外した状態の一部拡大側面図である。
【図９】本発明に係わる魚釣用スピニングリールの第３の実施形態を示す一部拡大側面図である。
【図１０】図９の要部の一部断面背面図である。
【符号の説明】
【００１８】
１      リ−ル本体
４      ハンドル
９      ロータ
１３    スプール軸
１６    スプール
１７    カバー部材
Ｃ      水抜き部
【図１】
2005218343.tif 000003
【図２】
2005218343.tif 000004
【図３】
2005218343.tif 000005
【図４】
2005218343.tif 000006
【図５】
2005218343.tif 000007
【図６】
2005218343.tif 000008
【図７】
2005218343.tif 000009
【図８】
2005218343.tif 000010
【図９】
2005218343.tif 000011
【図１０】
2005218343.tif 000012